(57)【要約】      （修正有）【課題】四カ所の脚部をもって自立するように構成された広告用表示体を、簡素な構造をもって、その配置が求められる箇所の性状にかかわりなくに、常時安定的に配置可能とさせる。【解決手段】左右に脚部２を備えた第一部分３と、左右に脚部２を備えた第二部分４とを、これらの上部側において回動可能に接合させて、これらの下部側を所定距離離隔させた展開状態において四カ所の前記脚部２をもって自立可能とさせてなる広告用表示体１である。四カ所の前記脚部２はそれぞれ、脚主体と、下端を接地部２１ａとした雄ネジ体と、前記脚主体の下端に孔口を位置させて上方に続く前記雄ネジ体の導入孔にはめ込まれた前記雄ネジ体に対する第一ナット体と、前記脚主体の下端下において前記雄ネジ体に螺装された第二ナット体とを備えてなる。【選択図】図２
2019120795.tif 000002
【特許請求の範囲】
【請求項１】
左右に脚部を備えた第一部分と、左右に脚部を備えた第二部分とを、これらの上部側において回動可能に接合させて、これらの下部側を所定距離離隔させた展開状態において四カ所の前記脚部をもって自立可能とさせてなる広告用表示体であって、
四カ所の前記脚部はそれぞれ、
脚主体と、
下端を接地部とした雄ネジ体と、
前記脚主体の下端に孔口を位置させて上方に続く前記雄ネジ体の導入孔にはめ込まれた前記雄ネジ体に対する第一ナット体と、
前記脚主体の下端下において前記雄ネジ体に螺装された第二ナット体とを備えてなる、広告用表示体。
【発明の詳細な説明】
【技術分野】
【０００１】
この発明は、広告用表示体の改良に関する。
【背景技術】
【０００２】
店舗などの宣伝・広告などの用途に使用される広告用表示体として、左右に脚部を備えた第一部分と、左右に脚部を備えた第二部分とを、これらの上部側において回動可能に接合させて、これらの下部側を所定距離離隔させた展開状態において四カ所の前記脚部をもって自立可能とさせてなる、いわゆるＡ型ボード、Ａ型スタンドなどと称されるものがある。
【０００３】
この種の広告用表示体は必要に応じて屋内のみならず屋外にも配置されることが多いが、配置が求められるフロア面、舗道面などは必ずしも平坦でなく、勾配、段差、凹凸などがある場合も少なくない。このような勾配などがある場合、フロア面、舗道面などに、四カ所の脚部の全部で接地できない不安定な状態で広告用表示体が配置されてしまう事態が生じる。このような状態で広告用表示体が配置されると、広告用表示体に傾きや、ガタつきが生じ、また、広告表示体の転倒が生じ易くなる。
【発明の概要】
【発明が解決しようとする課題】
【０００４】
この発明が解決しようとする主たる問題点は、この種の四カ所の脚部をもって自立するように構成された広告用表示体を、簡素な構造をもって、その配置が求められる箇所の性状にかかわりなく、常時安定的に配置可能とさせる点にある。
【課題を解決するための手段】
【０００５】
前記目的を達成するために、この発明にあっては、広告用表示体を、左右に脚部を備えた第一部分と、左右に脚部を備えた第二部分とを、これらの上部側において回動可能に接合させて、これらの下部側を所定距離離隔させた展開状態において四カ所の前記脚部をもって自立可能とさせてなる広告用表示体であって、
四カ所の前記脚部はそれぞれ、
脚主体と、
下端を接地部とした雄ネジ体と、
前記脚主体の下端に孔口を位置させて上方に続く前記雄ネジ体の導入孔にはめ込まれた前記雄ネジ体に対する第一ナット体と、
前記脚主体の下端下において前記雄ネジ体に螺装された第二ナット体とを備えてなる、ものとした。
【０００６】
この発明にかかる広告用表示体にあっては、これを構成する四カ所の脚部にそれぞれ、前記雄ネジ体を有することから、これを配置するフロア面、舗道面などに勾配、段差、凹凸などがある場合でも、四カ所の脚部の全てが配置位置にある前記フロア面などに接地した状態で、安定的に配置させることができる。すなわち、かかる広告用表示体は、配置箇所のフロア面、舗道面などの性状にかかわらず転倒を生じない態様で安定的に配置することができる。
【０００７】
具体的には、脚部の長さを長くする必要があるときには雄ネジ体を回して脚主体内からの雄ネジ体を突き出し量を増加させ、脚部の長さを短くする必要があるときには雄ネジ体を回して脚主体内からの雄ネジ体を突き出し量を減少させる。
【０００８】
また、前記第二ナット体によって、一度調整した脚部の長さが予期せず変わってしまう事態を防止することができる。すなわち、第二ナット体と脚主体の下端との間に隙間を空けた第二ナット体を緩めた状態から、雄ネジ体を回すことで脚部の長さは調整可能となるが、この調整後に第二ナット体を脚主体の下端に当接させる位置まで第二ナット体を締めることで雄ネジ体が回らない状態が作り出せるようになっている。
【０００９】
また、前記脚部を構成する脚主体自体を接地させないことから、脚主体の腐朽、損耗に格別の配慮を払う必要が無く、典型的には、脚主体を木質材によって支障なく構成することができる。
【発明の効果】
【００１０】
この発明によれば、この種の四カ所の脚部をもって自立するように構成された広告用表示体を、簡素な構造をもって、その配置が求められる箇所の性状にかかわりなく、常時安定的に配置できるようにすることができる。
【図面の簡単な説明】
【００１１】
【図１】図１は、この発明の一実施の形態にかかる広告用ボードの斜視構成図であり、広告用ボードは折り畳み状態である。
【図２】図２は、前記広告用表示体の斜視構成図であり、広告用ボードは自立可能な展開状態である。
【図３】図３は、前記広告用表示体の脚部の斜視図である。
【図４】図４は、前記脚部の分解斜視図である。
【図５】図５は、前記脚部を構成する雄ネジ体の突き出し量を可変可能にした状態（ａ図）及び前記脚部を構成する雄ネジ体の突き出し量を可変不能にした状態（ｂ図）とを表した前記脚部の断面図である。
【図６】図６は、前記広告用表示体の配置状態を示した正面図である。
【図７】図７は、前記広告用表示体の配置状態を示した正面図である。
【図８】図８は、前記広告用表示体の配置状態を示した側面図である。
【図９】図９は、前記広告用表示体の配置状態を示した側面図である。
【発明を実施するための形態】
【００１２】
以下、図１〜図９に基づいて、この発明の典型的な実施の形態について、説明する。この実施の形態にかかる広告用表示体１は、左右に脚部２を備えた第一部分３と、左右に脚部２を備えた第二部分４とを、これらの上部側において回動可能に接合させて、これらの下部側を所定距離離隔させた展開状態において四カ所の前記脚部２をもって自立可能とさせてなるものである。
【００１３】
図示の例では、広告用表示体１は、第一部分３及び第二部分４の双方共に、矩形の板体５を備えた構成となっている。第一部分３の板体５における第二部分４の板体５に向き合う裏面５ｂと反対の表面５ａ、及び、第二部分４における第一部分３に向き合う裏面５ｂと反対の表面５ａはそれぞれ、文字などを消去可能に記載したり、紙片などを貼り付けたりすることができるように、構成されている。典型的には、第一部分３及び第二部分４の表面は、チョークにより文字が記載できる黒板として機能するように、あるいは、マーカーペンで文字が記載できるホワイトボードあるいはブラックボードとして機能するように、あるいはまた、磁石が吸着できるように構成されて、第一部分３及び第二部分４の前記５ａ表面に紙片などを介して磁石を吸着させることで、第一部分３及び第二部分４の前記表面５ａに紙片などを留め付けることができるように構成される。第一部分３を前記黒板として、第二部分４を前記ホワイトボードあるいはブラックボードとするなど、第一部分３と第二部分４との機能を異ならせるようにしておくこともある。
【００１４】
また、図示は省略するが、広告用表示体１は、前記第一部分３及び第二部分４の一方のみが前記板体５を備えるように構成し、これらの他方は前記板体５を備えない枠体として構成することもある。
【００１５】
かかる広告用表示体１は、Ａ型ボード、Ａ型スタンドなどと称されている。
【００１６】
図示の例では、第一部分３及び第二部分４はいずれも、枠体６に四角形の板体５を張り込んだ構成となっている。
【００１７】
枠体６は、上枠部６ａ、左右の縦枠部６ｂ、６ｂ、及び、下枠部６ｃを備えている。左右の縦枠部６ｂ、６ｂの上端は上枠部６ａの上方には突き出していないが、左右の縦枠部６ｂ、６ｂの下端側は下枠部６ｃの下方に突き出している。かかる枠体６の縦枠部３ｂ、３ｂ下端側が前記脚部２として機能するようになっている。
【００１８】
第一部分３と第二部分４とは、これらの上辺部、図示の例では上枠部６ａにおいて、蝶番８によって回動可能に接合されている。第一部分３と第二部分４とは、これらを左右に区分する仮想の中心線ｘ（図１参照）を挟んだ一方側と他方側とにそれぞれ設けられた蝶番８によって、第一部分３の板体５の裏面５ｂと第二部分４の板体５の裏面５ｂとを互いに向き合わせ且つ実質的に平行に配した折り畳み状態（図１）と前記展開状態（図２）との間に亘る回動可能に組み合わされている。
【００１９】
図中、符号７で示すのは、第一部分３の下枠部６ｃの左右方向中程の位置と第二部分４の下枠部６ｃの左右方向中程の位置との間とを結ぶ鎖、線、紐などから構成される開き止めであり、この開き止め７により広告用表示体１の前記展開状態が維持されるようになっている。
【００２０】
四カ所の前記脚部２はそれぞれ、
脚主体２０と、
下端を接地部２１ａとした雄ネジ体２１と、
前記脚主体２０の下端２０ａに孔口２０ｃを位置させて上方に続く前記雄ネジ体２１の導入孔２０ｂにはめ込まれた前記雄ネジ体２１に対する第一ナット体２２と、
前記脚主体２０の下端２０ａ下において前記雄ネジ体２１に螺装された第二ナット体２３とを備えた構成となっている。
【００２１】
前記脚主体２０は、前記縦枠部６ｂを構成する長尺材によって構成されている。図示の例では、かかる長尺材は木質材料から構成された角材となっている。脚主体２０には、その下端２０ａに孔口２０ｃを位置させて上方に続く前記雄ネジ体２１の導入孔２０ｂが形成されている。
【００２２】
前記雄ネジ体２１は、図示の例では、長尺のボルト体２１ｂと、カバー体２１ｄとから構成されている。ボルト体２１ｂは金属製であり下端に六角形の頭部２１ｃを有している。カバー体２１ｄは合成樹脂製であり、ボルト体２１ｂの下端に嵌め付けられて前記接地部２１ａを構成するようになっている。より具体的には、カバー体２１ｄは、単寸筒状の胴部２１ｆの下端側にこの下端を閉塞する半球状の接地部構成部２１ｅを形成させてなる。胴部２１ｆの内部はボルト体２１ｂの頭部２１ｃの外郭形状に整合した形状となっており、胴部２１ｆの上端開口２１ｇから前記頭部２１ｃを嵌め入れることでボルト体２１ｂとカバー体２１ｄとが一体化されて前記雄ネジ体２１が構成されている。
【００２３】
前記第一ナット体２２は、金属製であり、内周部に前記雄ネジ体２１のボルト体２１ｂの雄ネジにかみ合う雌ネジ２２ａを備えている。図示の例では、第一ナット体２２は、雄ネジ体２１のボルト体２１ｂの全長の約半分の長さを有している。第一ナット体２２は、その下端に外鍔２２ｂを有し、また、その外周部に雄ネジ状突起２２ｃを有しており、その上端から前記導入孔２０ｂにタッピングスクリューと同じようにねじ込んで前記導入孔２０ｂにはめ込まれるようになっている。図示の例では、前記脚主体２０の下端２０ａには導入孔２０ｂの孔口２０ｃを巡るざぐり部２０ｄが形成されており、第一ナット体２２はその外鍔２２ｂをこのざぐり部２０ｄに納めきる位置まで脚主体２０内にねじ込まれるようになっている。第一ナット体２２の内部は導入孔２０ｂの一部を構成し、脚主体２０内からの雄ネジ体２１の突き出し量を最小化した状態では第一ナット体２２の上端より上方に位置される導入孔２０ｂ内に雄ネジ体２１の上端側が入り込むようになる。
【００２４】
前記第二ナット体２３は、金属製であり、内周部に前記雄ネジ体２１のボルト体２１ｂの雄ネジにかみ合う雌ネジ２３ａを備えている。図示の例では、第二ナット体２３と第一ナット体２２の外鍔２２ｂ、つまり、脚主体２０の下端２０ａとの間には、座金２４が配されている。
【００２５】
この実施の形態にかかる広告用表示体１にあっては、これを構成する四カ所の脚部２にそれぞれ、前記雄ネジ体２１を有することから、これを配置するフロア面、舗道面などに勾配、段差、凹凸などがある場合でも、四カ所の脚部２の全てが配置位置にある前記フロア面などに接地した状態で、安定的に配置させることができる。すなわち、かかる広告用表示体１は、配置箇所のフロア面、舗道面などの性状にかかわらず転倒を生じない態様で安定的に配置することができる。
【００２６】
具体的には、脚部２の長さを長くする必要があるときには雄ネジ体２１を回して脚主体２０内からの雄ネジ体２１を突き出し量を増加させ、脚部２の長さを短くする必要があるときには雄ネジ体２１を回して脚主体２０内からの雄ネジ体２１を突き出し量を減少させる。
【００２７】
また、前記第二ナット体２３によって、一度調整した脚部２の長さが予期せず変わってしまう事態を防止することができる。すなわち、第二ナット体２３と脚主体２０の下端２０ａとの間に隙間を空けた第二ナット体２３を緩めた状態（図５（ａ））から、雄ネジ体２１を回すことで脚部２の長さは調整可能となるが、この調整後に第二ナット体２３を脚主体２０の下端２０ａに当接させる位置まで第二ナット体２３を締めることで雄ネジ体２１が回らない状態が作り出せるようになっている（図５（ｂ））。
【００２８】
また、前記脚部２を構成する脚主体２０自体を接地させないことから、脚主体２０の腐朽、損耗に格別の配慮を払う必要が無く、典型的には、脚主体２０を木質材によって支障なく構成することができる。
【００２９】
設置箇所に勾配がある場合、例えば、広告用表示体１を正面から見たときに左側が高く右側が低い勾配がある場合、右側に位置される二カ所の脚部２の長さを長くすることで、四カ所の脚部２をそれぞれ安定的に接地させて広告用表示体１を配置させることができる（図６）。
【００３０】
設置箇所に勾配がある場合、例えば、広告用表示体１を側面から見たときに第一部分３側が高く第二部分４側が低い勾配がある場合、第二部分４側に位置される二カ所の脚部２の長さを長くすることで、四カ所の脚部２をそれぞれ安定的に接地させて広告用表示体１を配置させることができる（図８）。
【００３１】
設置箇所に段差がある場合、例えば、広告用表示体１を正面から見たときに左側が高く右側が低い段差がある場合、右側に位置される二カ所の脚部２の長さを長くすることで、四カ所の脚部２をそれぞれ安定的に接地させて広告用表示体１を配置させることができる（図７）。
【００３２】
設置箇所に段差がある場合、例えば、広告用表示体１を側面から見たときに第一部分３側が高く第二部分４側が低い段差がある場合、第二部分４側に位置される二カ所の脚部２の長さを長くすることで、四カ所の脚部２をそれぞれ安定的に接地させて広告用表示体１を配置させることができる（図９）。
【００３３】
なお、当然のことながら、本発明は以上に説明した実施形態に限定されるものではなく、本発明の目的を達成し得るすべての実施形態を含むものである。
【符号の説明】
【００３４】
１  広告用表示体
２  脚部
３  第一部分
４  第二部分
２０  脚主体
２０ａ  下端
２０ｂ  導入孔
２０ｃ  孔口
２１  雄ネジ体
２１ａ  接地部
２２  第一ナット体
２３  第二ナット体
【図１】
2019120795.tif 000003
【図２】
2019120795.tif 000004
【図３】
2019120795.tif 000005
【図４】
2019120795.tif 000006
【図５】
2019120795.tif 000007
【図６】
2019120795.tif 000008
【図７】
2019120795.tif 000009
【図８】
2019120795.tif 000010
【図９】
2019120795.tif 000011